(57)【要約】  【課題】  利用者に、番組の表示を変更する前に、変更するタイミングを通知するテレビジョン受像機を提供する。  【解決手段】  親画面用受信手段１０２と子画面用受信手段１０３とＯＳＤ作成手段１０６と合成表示手段１０４，１０５と各手段を制御する制御手段１０７、更に子画面番組データを解析する第一解析手段１０３ｄを備え、制御手段は、第一解析手段から得られる解析結果に基づいてＯＳＤ作成手段と合成表示手段を制御し、合成表示手段に、親画面に表示する番組と子画面に表示する番組の切替タイミングを表示するとともに、親画面用受信手段と子画面用受信手段を制御し、親画面に表示する番組と子画面に表示する番組を変更することを特徴とする。【選択図】  図１
2005328423.tif 000002
【特許請求の範囲】
【請求項１】
親画面に表示する番組の番組データの選局から復号処理までを行なう親画面用受信手段と、子画面に表示する番組の番組データの選局から復号処理までを行なう子画面用受信手段と、ＯＳＤデータを作成するＯＳＤ作成手段と、前記親画面用受信手段と前記子画面用受信手段より出力された映像データおよび前記ＯＳＤ作成手段より出力されたＯＳＤデータを合成して表示する合成表示手段と、前記各手段を制御する制御手段を備え、更に、子画面に表示する番組の番組データを解析する第一解析手段を備え、前記制御手段は、前記第一解析手段から得られる解析結果に基づいて前記ＯＳＤ作成手段と前記合成表示手段を制御し、前記合成表示手段に、親画面に表示する番組と子画面に表示する番組の切替タイミングを表示するとともに、前記親画面用受信手段と前記子画面用受信手段を制御し、親画面に表示する番組と子画面に表示する番組を変更することを特徴とするテレビジョン受像機。
【請求項２】
請求項１記載のテレビジョン受像機において、更に、親画面に表示する番組と子画面に表示する番組を遅延するための遅延手段を備え、前記制御手段は、前記第一解析手段から得られる解析結果に基づいて前記ＯＳＤ作成手段と前記合成表示手段を制御し、前記合成表示手段に、親画面に表示する番組と子画面に表示する番組の切替タイミングを表示し、該切替タイミングで、前記親画面用受信手段と前記子画面用受信手段を制御し、親画面に表示する番組と子画面に表示する番組を変更することを特徴とするテレビジョン受像機。
【請求項３】
請求項１記載のテレビジョン受像機において、更に、親画面に表示する番組の番組データを解析する第二解析手段を備え、前記制御手段は、前記第一解析手段と前記第二解析手段から得られる解析結果に基づいて前記ＯＳＤ作成手段と前記合成表示手段を制御し、前記合成表示手段に、親画面に表示する番組と子画面に表示する番組の切替タイミングを表示するとともに、前記親画面用受信手段と前記子画面用受信手段を制御し、親画面に表示する番組と子画面に表示する番組を変更することを特徴とするテレビジョン受像機。
【請求項４】
請求項１記載のテレビジョン受像機において、前記制御手段は、前記第一解析手段から得られる解析結果に基づいて前記合成表示手段を制御し、子画面の画面サイズ、及び／或いは表示位置を動的に変更するとともに、前記親画面用受信手段と前記子画面用受信手段を制御し、親画面に表示する番組と子画面に表示する番組を変更することを特徴とするテレビジョン受像機。
【請求項５】
請求項１から４のうちいずれかに記載のテレビジョン受像機において、前記制御手段は、事前設定した利用者解析条件を記憶しており、前記第一解析手段、または前記第一解析手段と前記第二解析手段から得られる解析結果が前記利用者解析条件に合致した場合に、前記ＯＳＤ作成手段と前記合成表示手段、または前記合成表示手段を制御し、また前記親画面用受信手段と前記子画面用受信手段を制御することを特徴とするテレビジョン受像機。
【請求項６】
請求項１から４のうちいずれかに記載のテレビジョン受像機において、前記第一解析手段、または前記第一解析手段と前記第二解析手段は、表示する番組の音声データに含まれる周波数成分を解析することを特徴とするテレビジョン受像機。
【請求項７】
請求項１から４のうちいずれかに記載のテレビジョン受像機において、前記第一解析手段、または前記第一解析手段と前記第二解析手段は、表示する番組の音声データより、音声多重放送の多重制御信号を解析し、モノラル放送・ステレオ放送・二ヶ国語放送などの音声モードを解析することを特徴とするテレビジョン受像機。
【請求項８】
請求項１から４のうちいずれかに記載のテレビジョン受像機において、前記第一解析手段、または前記第一解析手段と前記第二解析手段は、表示する番組の音声データより、音量レベルを解析することを特徴とするテレビジョン受像機。
【請求項９】
請求項１から４のうちいずれかに記載のテレビジョン受像機において、前記第一解析手段、または前記第一解析手段と前記第二解析手段は、表示する番組のデータより、ＣＭが放送されているか否かを解析することを特徴とするテレビジョン受像機。
【請求項１０】
請求項１から４のうちいずれかに記載のテレビジョン受像機において、前記第一解析手段、または前記第一解析手段と前記第二解析手段は、表示する番組のデータより、サービスの切替を解析することを特徴とするテレビジョン受像機。
【請求項１１】
請求項１から４のうちいずれかに記載のテレビジョン受像機において、前記第一解析手段、または前記第一解析手段と前記第二解析手段は、表示する番組のデータより、あらかじめ利用者が指定した映像シーンが表示されているか否かを解析することを特徴とするテレビジョン受像機。
【発明の詳細な説明】
【技術分野】
【０００１】
本発明は、ひとつの表示装置に複数の番組映像を同時に表示することが可能なマルチ画面表示機能を有するテレビジョン受像機に関する。
【背景技術】
【０００２】
従来、マルチ画面表示機能を有するテレビジョン受像機は、表示装置の表示部分を左右に二分し、主番組を左側部分、副番組を右側部分に表示するタイプが主流となっていた。
【０００３】
このようなテレビジョン受像機は、主番組と副番組の表示したり、或いは、主番組のみの表示したりする場合、利用者はリモコン送信機などを介して、表示変更の設定を行なう必要があった。
【０００４】
例えば、主番組がＣＭ放送中であるときに限り、主番組に加えて副番組も見たい場合、利用者は、主番組でＣＭ放送が開始されると、リモコン送信機を用いて主番組と副番組の表示設定を行ない、ＣＭ放送が終了すると、再び、リモコン送信機を用いて主番組のみを表示する設定を行なう必要があった。そのため、利用者は、主番組でＣＭが放送されるたびに、リモコン送信機を用いて表示変更の設定を行なう必要があり、非常に面倒であった。
【０００５】
このような課題を解決するため、特許文献１記載のテレビジョン受像機が提案された。
【０００６】
そのテレビジョン受像機は、主番組を受信する主番組受信器と、副番組を受信する裏番組受信器と、主番組受信器と裏番組受信器から出力された番組データを合成する合成回路と、合成回路から出力された番組データを表示する表示装置を有し、更に、ＣＭ検出手段として、主番組受信器、裏番組受信器、および合成回路を制御する制御回路を有して構成される。
【０００７】
主番組受信器と裏番組受信器の内部は、受信アンテナに共通に接続されたチューナを有し、チューナの選局出力を増幅するＩＦ回路と、ＩＦ回路からの信号を処理した後、映像信号と音声信号を復調する信号処理回路が、チューナと縦列接続されている。
【０００８】
合成回路は、表示装置に、主番組受信器から出力される映像データをサイズの大きい親画面に表示し、裏番組受信器から出力される映像データをサイズの小さい子画面に表示するため、ＰＩＰ（Picture In Picture）回路で構成される。
【０００９】
親画面と子画面の合成は、親画面の中にある子画面表示部分に対し、画像圧縮率に応じて走査線を間引いた子画面の映像をはめ込むことで実現される。
【００１０】
信号処理回路は主番組の音声信号を復調すると共に、多重制御信号より主番組がＣＭ放送中であるか否かの判定を行なう。ＣＭ放送であるか否かは、音声モードがステレオであるか、モノラルであるかを判断材料とする。
【００１１】
制御回路は、その判定結果に基づいて、合成回路に対し、ＣＭ放送中である場合は、主番組受信器から出力された映像データを親画面に、裏番組受信器から出力された映像データを子画面に表示する設定を行ない、ＣＭ放送中でない場合は、主番組受信器から出力された映像データのみを表示する設定を行なう。
【００１２】
このようなＣＭ検出手段を設けることにより、表示方法（主番組と裏番組の表示、主番組のみ表示）をテレビジョン受像機側が変更することが可能となり、利用者は、主番組でＣＭが放送されるたびに、リモコン送信機を用いて表示設定の操作を行なう必要がなくなった。
【００１３】
【特許文献１】特開平１０−２８５４８９号公報
【発明の開示】
【発明が解決しようとする課題】
【００１４】
しかし、こうした表示の変更は、利用者の意思とは関係なく、テレビジョン受像機側が自動的に行なうことから、利用者は、表示の急変に追従できず、利用者に不快感を与えてしまう可能性が考えられる。
【００１５】
本発明の目的は、利用者に、番組の表示を変更する前に、変更するタイミングを通知するテレビジョン受像機を提供することにある。
【課題を解決するための手段】
【００１６】
本発明のテレビジョン受像機は、親画面に表示する番組の番組データの選局から復号処理までを行なう親画面用受信手段と、子画面に表示する番組の番組データの選局から復号処理までを行なう子画面用受信手段と、ＯＳＤデータを作成するＯＳＤ作成手段と、前記親画面用受信手段と前記子画面用受信手段より出力された映像データおよび前記ＯＳＤ作成手段より出力されたＯＳＤデータを合成して表示する合成表示手段と、前記各手段を制御する制御手段を備え、更に、子画面に表示する番組の番組データを解析する第一解析手段を備え、前記制御手段は、前記第一解析手段から得られる解析結果に基づいて前記ＯＳＤ作成手段と前記合成表示手段を制御し、前記合成表示手段に、親画面に表示する番組と子画面に表示する番組の切替タイミングを表示するとともに、前記親画面用受信手段と前記子画面用受信手段を制御し、親画面に表示する番組と子画面に表示する番組を変更することを特徴とする。
【００１７】
また本発明は、更に、親画面に表示する番組と子画面に表示する番組を遅延するための遅延手段を備え、前記制御手段は、前記第一解析手段から得られる解析結果に基づいて前記ＯＳＤ作成手段と前記合成表示手段を制御し、前記合成表示手段に、親画面に表示する番組と子画面に表示する番組の切替タイミングを表示し、該切替タイミングで、前記親画面用受信手段と前記子画面用受信手段を制御し、親画面に表示する番組と子画面に表示する番組を変更することを特徴とする。
【００１８】
また本発明は、更に、親画面に表示する番組の番組データを解析する第二解析手段を備え、前記制御手段は、前記第一解析手段と前記第二解析手段から得られる解析結果に基づいて前記ＯＳＤ作成手段と前記合成表示手段を制御し、前記合成表示手段に、親画面に表示する番組と子画面に表示する番組の切替タイミングを表示するとともに、前記親画面用受信手段と前記子画面用受信手段を制御し、親画面に表示する番組と子画面に表示する番組を変更することを特徴とする。
【００１９】
また本発明において、前記制御手段は、前記第一解析手段から得られる解析結果に基づいて前記合成表示手段を制御し、子画面の画面サイズ、及び／或いは表示位置を動的に変更するとともに、前記親画面用受信手段と前記子画面用受信手段を制御し、親画面に表示する番組と子画面に表示する番組を変更することを特徴とする。
【００２０】
また本発明において、前記制御手段は、事前設定した利用者解析条件を記憶しており、前記第一解析手段、または前記第一解析手段と前記第二解析手段から得られる解析結果が前記利用者解析条件に合致した場合に、前記ＯＳＤ作成手段と前記合成表示手段、または前記合成表示手段を制御し、また前記親画面用受信手段と前記子画面用受信手段を制御することを特徴とする。
【００２１】
また本発明において、前記第一解析手段、または前記第一解析手段と前記第二解析手段は、表示する番組の音声データに含まれる周波数成分を解析すること、表示する番組の音声データより、音声多重放送の多重制御信号を解析し、モノラル放送・ステレオ放送・二ヶ国語放送などの音声モードを解析すること、表示する番組の音声データより、音量レベルを解析すること、表示する番組のデータより、ＣＭが放送されているか否かを解析すること、表示する番組のデータより、サービスの切替を解析すること、表示する番組のデータより、あらかじめ利用者が指定した映像シーンが表示されているか否かを解析することを特徴とする。
【発明の効果】
【００２２】
本発明によれば、利用者に、番組の表示を変更する前に、変更するタイミングを通知するテレビジョン受像機を得ることができる。
【発明を実施するための最良の形態】
【００２３】
以下、本発明のテレビジョン受像機の実施の形態を、図を用いて説明する。
【００２４】
最初に、図１〜図５を用いて、第１の実施の形態について説明する。
【００２５】
図１は、本発明のテレビジョン受信機の第１の実施の形態を示す構成図である。図１のテレビジョン受像機１０１は、親画面用受信器１０２、子画面用受信器１０３、合成部１０４、表示部１０５、ＯＳＤ作成部１０６、制御部１０７、ユーザＩ／Ｆ１０８を有して構成される。更に、親画面用受信器１０２は、チューナ・復調部１０２ａ、パケット分離部１０２ｂ、映像音声復号部１０２ｃを有して構成され、子画面用受信器１０３は、チューナ・復調部１０３ａ、パケット分離部１０３ｂ、映像音声復号部１０３ｃ、データ解析部１０３ｄを有して構成される。
【００２６】
外部に備えたアンテナ１０９でデジタル放送信号を受信し、その信号を親画面用受信器１０２に入力すると、チューナ・復調部１０２ａにおいて目的の搬送波が選択され、復調の処理が行なわれ、ＴＳ（Transport Stream）が復元される。更に、パケット分離部１０２ｂにおいてＴＳパケットの分離が行なわれ、ＴＳ化される前のＰＥＳ（Packetized Elementary Stream）、もしくはＥＳ（Elementary Stream）が復元される。最後に、映像音声復号部１０２ｃにおいて復号処理が行なわれ、番組データ（映像データ、音声データ、番組関連データ）が生成され、合成部１０４に出力される。
【００２７】
アンテナ１０９に対して親画面用受信器１０２と並列に接続された子画面用受信器１０３にデジタル放送信号を入力すると、チューナ・復調部１０３ａにおいて目的の搬送波が選択され、復調処理が行なわれ、ＴＳが復元される。その後、パケット分離部１０３ｂにおいてＴＳパケットの分離が行なわれ、ＴＳ化される前のＰＥＳ、もしくはＥＳが復元される。その後、映像音声復号部１０３ｃにおいて復号処理が行なわれ、親画面用受信器１０２の場合と同様に番組データ（映像データ、音声データ、番組関連データ）が生成され、合成部１０４に出力される。
【００２８】
また、パケット分離部１０３ｂからは、データ解析部１０３ｄにＴＳパケットが出力され、番組データの解析が行なわれる。
【００２９】
図２は、図１のデータ解析部１０３ｄの内部を示す構成図である。データ解析部１０３ｄは、音声周波数解析部２０１、音声モード解析部２０２、音量レベル解析部２０３、ＣＭ解析部２０４、サービス解析部２０５、映像シーン解析部２０６を有して構成される。
【００３０】
パケット分離部１０３ｂから出力されるＴＳパケットは、音声周波数解析部２０１〜映像シーン解析部２０６において、一旦、復号処理が行なわれる。音声周波数解析部２０１〜映像シーン解析部２０６は、復号処理を行なうことで、番組データ（音声データ、映像データ、番組関連データ）を生成し、このデータを解析対象とする。
【００３１】
音声周波数解析部２０１では、番組音声の周波数成分の解析を行なう。音声モード解析部２０２では、音声多重放送の多重制御信号から、ステレオ／モノラル／二ヶ国語などの音声モードの解析を行なう。音量レベル解析部２０３では、番組音声の音量レベルの解析を行なう。ＣＭ解析部２０４では、子画面に表示する番組がＣＭ中であるか否かの解析を行なう。
【００３２】
サービス解析部２０５では、子画面に表示する番組のサービス切替の解析を行なう。映像シーン解析部２０６では、子画面に表示する番組に、利用者が、後述する解析条件に合致した映像シーンが表示されているか否かの解析を行なう。ここでいうサービスとは、番組関連データに含まれるイベント記述子が管理する番組のことを意味する。
【００３３】
図１において、ユーザＩ／Ｆ１０８は、リモコン送信機などから発せられる信号を検知する部分であり、検知した信号をそのまま制御部１０７に出力する。
【００３４】
利用者が、リモコン送信機を用いて主番組のみの表示設定を行なうと、制御部１０７は、親画面用受信器１０２に対し、主番組を選局し復号処理を行ない映像データを出力させ、合成部１０４に入力し、合成部１０４では、親画面用受信器１０２から出力された映像データのみを表示部１０５に入力する。
【００３５】
利用者が、リモコン送信機を用いて主番組と副番組の表示設定を行なうと、制御部１０７は、親画面用受信器１０２に対し、主番組を対象とした選局から復号までの処理を行ない映像データを出力させ、合成部１０４に入力させる。また子画面用受信器１０３に対し、副番組を対象とした選局から復号までの処理を行ない映像データを出力させ、合成部１０４に入力させる。合成部１０４では親画面用受信器１０２から出力された映像データと子画面用受信器１０３から出力された映像データを合成して出力させる。
【００３６】
制御部１０７は、利用者が、主番組と副番組の表示設定を行なうと、データ解析部１０３ｄから得られる解析結果を取得し、本実施の形態における事前設定の利用者解析条件と合致した結果が得られた場合、ＯＳＤ作成部１０６と合成部１０４を制御してＯＳＤの表示を行なう共に、親画面用受信器１０２と子画面用受信器１０３に対し、親画面で表示している番組を子画面に表示し、子画面に表示している番組を親画面に表示するための、選局から復号までの設定を変更する。
【００３７】
合成部１０４は、制御部１０７の指示に従い、主番組表示器１０２の映像データを表示部１０５に出力することや、親画面用受信器１０２と子画面用受信器１０３の映像データ、また、ＯＳＤ作成部１０６より出力されるＯＳＤデータを合成して表示部１０５に出力する。
【００３８】
表示部１０５は、ブラウン管や液晶のディスプレーであり、合成部１０４から出力された番組データを表示する部分である。
【００３９】
利用者は、リモコン送信機などを用いて主番組と副番組の表示設定を行なう場合、本実施の形態では、事前に利用者が希望する利用者解析条件の設定を行なう。
【００４０】
例えば、利用者が、子画面に表示している番組の中で、特定の人物が言葉を発したとき、特定の音楽が流れたとき、或いは番組内容が盛り上がったときなど、利用者にとって視聴価値の高い場面が表示されたときに、子画面に表示している番組を親画面に表示したいと思った場合、利用者解析条件として事前設定し、その事前設定した利用者解析条件を制御部１０７に記憶する。
【００４１】
また、ＣＭ放送や番組の開始時と終了時、もしくは特定の映像シーンが放送されたときに子画面に表示していた番組を親画面に表示したい場合、そのタイミングを検出するための基準を解析条件として事前設定し、その事前設定した利用者解析条件を制御部１０７に記憶する。
【００４２】
次に、利用者は、リモコン送信機などを用いて主番組と副番組のチャンネル番号を指定して、マルチ画面表示の事前設定を行ない、その事前設定した利用者条件を制御部１０７に記憶する。
【００４３】
テレビジョン受像機１０１は、子画面の番組データが事前設定の利用者解析条件に合致するか否かを判定し、合致した場合に番組の変更するタイミングを表示部１０５に表示し、その後に番組表示を切替える。
【００４４】
次に、図３〜図５を用いて、図１の制御部１０７の処理内容と表示部１０５に表示される画面のイメージを説明する。
【００４５】
図３は、図１の制御部１０７の処理内容を示すフローチャートである。図４は、図１の表示部１０５に表示される親画面と子画面の合成表示例を示す図である。図５は、図１の表示部１０５に表示される親画面と子画面とＯＳＤの合成表示例を示す図である。
【００４６】
図１の制御部１０７の処理内容を示すフローチャートにおいて、制御部１０７は、上記事前設定の利用者条件に基づき、親画面用受信器１０２に対して主番組を選局し復号処理するまでの設定を行ない、子画面用受信器１０３に対しては副番組を選局し復号処理するまでの設定を行なう。また、合成部１０４に対しては、親画面用受信器１０２と子画面用受信器１０３から出力された映像データを合成して表示部１０５に出力させる。その結果表示部１０５に、図４に示した親子画面を表示し、親画面に主番組を、子画面に副番組を表示する（ステップ１）。
【００４７】
その後、制御部１０７は、利用者によるマルチ画面表示の設定に変更がないか否かをチェックし（ステップ２）、設定を変更している場合はマルチ画面表示を終了する。設定を変更していない場合は、子画面用番組データを解析したデータ解析部１０３ｄから解析結果を取得し、上記事前設定の利用者解析条件に合致するデータが含まれているか常時監視する（ステップ３）。
【００４８】
上記事前設定の利用者解析条件に合致するデータが含まれていた場合、図５に示したように「表示変更まであと５秒」というＯＳＤを表示する（ステップ４）。
【００４９】
そして、５秒経過したら、制御部１０７は、子画面用受信器１０３に対し、現在親画面に表示している番組を選局し復号処理を行ない、映像データを出力するように制御し、親画面用受信器１０２に対しては、現在子画面に表示している番組を選局し復号処理を行ない、映像データを出力するように制御する。その結果、現在親画面に表示している番組を子画面に表示し、現在子親画面に表示している番組を親画面に表示する（ステップ５）。尚、「５秒」は一例であり、ＯＳＤを表示し始めてから、実際に表示変更が行なわれるまでの時間を示せればよい。
【００５０】
以上、制御部１０７が（ステップ１）〜（ステップ５）の処理を行なうことで、子画面用番組データが事前設定したユーザ解析条件に合致したときに、表示部１０５にＯＳＤを表示して事前に表示切替のタイミングを利用者に通知し、その後親画面と子画面に表示している番組を入れ替えることができる。
【００５１】
本実施の形態では、デジタル放送信号に対応したテレビジョン受像機を用いて説明を行なったが、子画面用番組データの解析結果に基づいて表示を変更し、表示変更のタイミングを表示部にＯＳＤ表示して、利用者に通知することが可能であれば、アナログ放送信号に対応したテレビジョン受像機でも同様の効果が得られる。
【００５２】
次に、図６と図７を用いて、第２の実施の形態について説明する。
【００５３】
図６は、本発明のテレビジョン受信機の第２の実施の形態を示す構成図である。図６のテレビジョン受像機３０１は、図１のテレビジョン受像機１０１に対し、更に、データ遅延部３０２ｅとデータ遅延部３０３ｅを有して構成される。データ遅延部３０２ｅとデータ遅延部３０３ｅの具体例としてはデータ記録部で構成される。
【００５４】
データ遅延部３０２ｅは、パケット分離部１０２ｂから出力されるＴＳパケットを一時的に記録し、記録したデータをパケット分離部１０２ｂに出力する。データ遅延部３０３ｅは、パケット分離部１０３ｂから出力されるＴＳパケットを一時的に記録し、記録したデータをパケット分離部１０３ｂに出力する。
【００５５】
データ遅延部３０２ｅとデータ遅延部３０３ｅを備えることにより、親画面用受信器１０２と子画面用受信器１０３から出力される番組データ（映像データ、音声データ、番組関連データ）は、図１に記載したテレビジョン受像機１に比べ、遅延して表示される。
【００５６】
次に、図７を用いて、図６の制御部１０７の処理内容を説明する。
図７は、図６の制御部１０７の処理内容を示すフローチャートである。図７のフローチャートの（ステップ１）〜（ステップ５）の部分は、図３で示した（ステップ１）〜（ステップ５）と同じである。
【００５７】
利用者は、リモコン送信機などを用いて主番組と副番組の表示設定を行なう場合、本実施の形態では、事前に利用者が先述した遅延時間の事前設定を行ない、その事前設定した利用者条件を制御部１０７に記憶する。
【００５８】
制御部１０７は、上記事前設定の遅延時間に相当するデータ量を算出し、データ遅延部３０２ｅとデータ遅延部３０３ｅに対して、そのデータ量に相当する分だけ遅延し、番組の表示に遅延が生じるように制御する（ステップ６）。（ステップ６）以降の（ステップ１）〜（ステップ５）の処理は、図３で述べた内容と同じである。
【００５９】
ただし、データ解析部１０３ｄには、パケット分離部１０３ｂで処理されたＴＳパケットが遅延されることなくそのまま入力されるため、番組が子画面に表示される前に番組データを解析することができる。
【００６０】
そのため、（ステップ３）において解析条件が合致し、その条件に合致した部分が、実際に表示部１０５に表示されるまでの時間（（ステップ６）で設定した遅延時間に相当する）、（ステップ４）において表示部１０５にＯＳＤ表示することができるので、図１では、事前設定の利用者解析条件に合致する番組データ部分が表示部１０５に表示された後、表示が変更されるのに対し、図６では、事前設定の利用者解析条件に合致する番組データが表示部１０５に表示されるタイミングで表示を変更することができる。
【００６１】
本実施の形態では、デジタル放送信号に対応したテレビジョン受像機を用いて説明を行なったが、図１でも述べたとおり、子画面用番組データの解析結果に基づいて表示を変更し、表示変更のタイミングを表示部にＯＳＤ表示して、利用者に通知することが可能であれば、アナログ放送信号に対応したテレビジョン受像機でも同様の効果が得られる。
【００６２】
次に、図８〜図１０を用いて、第３の実施の形態について説明する。
【００６３】
図８は、本発明のテレビジョン受信機の第３の実施の形態を示す構成図である。図８のテレビジョン受像機４０１は、図１のテレビジョン受像機１０１に対し、更にデータ解析部４０２ｄを有して構成される。
【００６４】
図９は、図８のデータ解析部４０２ｄの内部を示す構成図である。データ解析部４０２ｄは、図２のデータ解析部１０３ｄと同じ構造になっている。
【００６５】
データ解析部４０２ｄは、パケット分離部１０２ｂから出力されるＴＳパケットに対し、復号処理を行ない、復号により得られた番組データを対象に各種解析を行なう。
【００６６】
図１０は、図８の制御部１０７の処理内容を示すフローチャートである。（ステップ１）〜（ステップ２）、及び（ステップ４）〜（ステップ５）は、図３と同じである。
【００６７】
（ステップ７）は、親画面用番組データと子画面用番組データを対象に、事前設定の利用者解析条件に合致するデータが含まれているか常時監視する。
【００６８】
親画面用番組データと子画面用番組データの解析結果のうち、音声周波数解析結果、音声モード解析結果、音声レベル解析結果、サービス解析結果、映像シーン解析結果に関しては、子画面用番組データの解析結果しか参照しない。
【００６９】
一方、ＣＭ解析結果に関しては、親画面用番組データと子画面用番組データの解析結果を参照する。親画面用番組がＣＭ放送中である場合、子画面用番組データの解析結果を参照し、子画面用番組がＣＭ放送中であれば、親画面と子画面の番組の変更を行なわない。親画面用番組がＣＭ放送中である場合、子画面用番組データの解析結果を参照し、子画面用番組がＣＭ放送中でなければ、親画面と子画面に表示する番組の変更を行なう。
【００７０】
本実施の形態では、デジタル放送信号に対応したテレビジョン受像機を用いて説明を行なったが、図１でも述べたとおり、親画面用番組データと子画面用番組データの解析結果に基づいて表示を変更し、表示変更のタイミングを表示部にＯＳＤ表示して、利用者に通知することが可能であれば、アナログ放送信号に対応したテレビジョン受像機でも同様の効果が得られる。
【００７１】
次に、図１１〜図１４を用いて、第４の実施の形態について説明する。
図１１は、本発明のテレビジョン受信機の第４の実施の形態を示す構成図である。図１１のテレビジョン受像機５０１の構成は、図１に記載したテレビジョン受像機１０１と同じである。ただし制御部１０７の処理内容が異なる。
【００７２】
図１２は、図１１の制御部１０７の処理内容を示すフローチャートである。（ステップ１）〜（ステップ３）、及び（ステップ５）は、図３と同じである。
【００７３】
（ステップ３）において、子画面用番組データを解析し、事前設定の利用者解析条件と合致するデータが番組データに含まれていた場合、制御部１０７は、合成部１０４を制御し、図１３のように子画面の表示部分を、通常の表示サイズより大きく表示したり、もしくは図１４のように子画面の表示部分を、通常の表示サイズより小さく表示する。このように、通常の子画面の表示サイズを変更することで、利用者に対して、表示が変更することを通知する（ステップ８）。
【００７４】
その後、（ステップ９）において、利用者が表示を変更することを、リモコン送信機などを介して承認すると、（ステップ５）にて、表示の変更を行なう。
【００７５】
以上、制御部１０７が（ステップ１）〜（ステップ３）、（ステップ８）、〜（ステップ９）、及び（ステップ５）の処理を行なうことにより、子画面用番組データが事前設定の利用者解析条件に合致したときに、通常とは異なるサイズで子画面を表示することにより、表示変更のタイミングを利用者に通知することが出来る。
【００７６】
また、（ステップ９）の処理は必ずしも必要ではなく、（ステップ８）において、一定時間、通常とは異なる方法で子画面を表示し、（ステップ１０）に進んでも、同様の効果が得られる。
【００７７】
本実施の形態では、デジタル放送信号に対応したテレビジョン受像機を用いて説明を行なったが、子画面用番組データの解析を行ない表示変更のタイミングを通常の表示サイズとは異なるサイズで子画面番組を表示することが可能であれば、アナログ放送信号に対応したテレビジョン受像機でも同様の効果が得られる。
【００７８】
また、子画面の表示サイズだけでなく、表示位置を変更して、利用者に表示の変更のタイミングを通知しても同様の効果が得られる。
【００７９】
本実施の形態によれば、利用者に、番組の表示を変更する前に、変更するタイミングを通知するテレビジョン受像機を得ることができる。それにより、利用者は、番組が変更する前に変更することを事前に知ることができるので、番組の変更に対応することができる。
【００８０】
また本実施の形態によれば、番組の変更を、利用者が事前設定した利用者解析条件と合致した場合に行なう。それにより、利用者好みの番組の変更が可能となる。
【図面の簡単な説明】
【００８１】
【図１】本発明のテレビジョン受信機の第１の実施の形態を示す構成図である。
【図２】図１のデータ解析部の内部を示す構成図である。
【図３】図１の制御部の処理内容を示すフローチャートである。
【図４】図１の表示部に表示される親画面と子画面の合成表示例を示す図である。
【図５】図１の表示部に表示される親画面と子画面とＯＳＤの合成表示例を示す図である。
【図６】本発明のテレビジョン受信機の第２の実施の形態を示す構成図である。
【図７】図６の制御部の処理内容を示すフローチャートである。
【図８】本発明のテレビジョン受信機の第３の実施の形態を示す構成図である。
【図９】図８のデータ解析部４０２ｄの内部を示す構成図である。
【図１０】図８の制御部の処理内容を示すフローチャートである。
【図１１】本発明のテレビジョン受信機の第４の実施の形態を示す構成図である。
【図１２】図１１の制御部の処理内容を示すフローチャートである。
【図１３】図１１の表示部に表示される親画面と子画面の合成表示例を示す図である。
【図１４】図１１の表示部に表示される親画面と子画面の合成表示例を示す図である。
【符号の説明】
【００８２】
１０１…テレビジョン受像機、１０２…親画面用受信器、１０２ａ…チューナ・復調部、１０２ｂ…パケット分離部、１０２ｃ…映像音声復号部、１０３…子画面用受信器、１０３ａ…チューナ・復調部、１０３ｂ…パケット分離部、１０３ｃ…映像音声復号部、１０３ｄ…データ解析部、１０４…合成部、１０５…表示部、１０６…ＯＳＤ作成部、１０７…制御部、１０８…ユーザＩ／Ｆ、１０９…アンテナ、２０１…音声周波数解析部、２０２…音声モード解析部、２０３…音量レベル解析部、２０４…ＣＭ解析部、２０５…サービス解析部、２０６…映像シーン解析部、３０１…テレビジョン受像機、３０２ｅ…データ遅延部、３０３ｅ…データ遅延部、４０１…テレビジョン受像機、４０２ｄ…データ解析部、５０１…テレビジョン受像機。
【図１】
2005328423.tif 000003
【図２】
2005328423.tif 000004
【図３】
2005328423.tif 000005
【図４】
2005328423.tif 000006
【図５】
2005328423.tif 000007
【図６】
2005328423.tif 000008
【図７】
2005328423.tif 000009
【図８】
2005328423.tif 000010
【図９】
2005328423.tif 000011
【図１０】
2005328423.tif 000012
【図１１】
2005328423.tif 000013
【図１２】
2005328423.tif 000014
【図１３】
2005328423.tif 000015
【図１４】
2005328423.tif 000016